(57)【特許請求の範囲】
【請求項１】
固体レーザ媒質と、この固体レーザ媒質を励起するフラッシュランプと、フラッシュランプからの光を固体レーザ媒質に向けて反射させる反射板とが収容されるとともに、上記固体レーザ媒質を冷却するための冷却通路を有するレーザ発振ユニットと、上記冷却通路に連通する流出入口を有するハウジングとを備え、上記レーザ発振ユニットがガイドレールによって上下左右を位置決めされた状態で案内されながら上記ハウジング内に挿脱自在に設けられたことを特徴とする固体レーザ発振装置。
【請求項２】
前記ガイドレールが前記冷却通路及び前記流出入口の両側上下に４本配置され、これらガイドレールが冷却流体の仕切壁として兼用されるように構成された請求項１記載の固体レーザ発振装置。
【発明の詳細な説明】
【０００１】
【発明の属する技術分野】
本発明は、固体レーザ発振装置に関するものである。
【０００２】
【従来の技術】
従来、特開平８−１６２６９４号公報記載のものに見られるように、固体レーザ媒質及びフラッシュランプ等をハウジングの両端開口を閉塞する蓋体と一体に設け、これら固体レーザ媒質及びフラッシュランプ等をハウジングから容易に取り出せるようにした固体レーザ発振装置が提供されている。
【０００３】
【発明が解決しようとする課題】
しかしながら、上記従来のものでは、固体レーザ媒質及びフラッシュランプ等をハウジングから容易に取り出すことができるものの、再び固体レーザ媒質及びフラッシュランプ等をハウジングに組み入れる場合には、固体レーザ媒質などの光軸調整を再度する必要があり、再現性が悪いという問題があった。
【０００４】
また、固体レーザ媒質の冷却向上を図るためには、固体レーザ媒質を冷却する冷却流体に方向性を持たせるとよいが、そのためには別途仕切板等が必要となり、構造が複雑化するという問題があった。
【０００５】
【課題を解決するための手段】
請求項１に係る発明の固体レーザ発振装置は、固体レーザ媒質と、この固体レーザ媒質を励起するフラッシュランプと、フラッシュランプからの光を固体レーザ媒質に向けて反射させる反射板とが収容されるとともに、上記固体レーザ媒質を冷却するための冷却通路を有するレーザ発振ユニットと、上記冷却通路に連通する流出入口を有するハウジングとを備え、上記レーザ発振ユニットがガイドレールによって上下左右を位置決めされた状態で案内されながら上記ハウジング内に挿脱自在に設けられたものである。
【０００６】
請求項２に係る発明の固体レーザ発振装置は、前記ガイドレールが前記冷却通路及び前記流出入口の両側上下に４本配置され、これらガイドレールが冷却流体の仕切壁として兼用されるように構成されたものである。
【０００７】
【発明の実施の形態】
以下、本発明の実施の形態を図面を参照して説明する。
【０００８】
図１は、本発明に係る固体レーザ発振装置の概略構成を示している。
図において、１は両端が開口１１、１２された筒状のハウジングで、該ハウジング１内には、レーザ発振ユニット２がガイド部材としてのガイドレール３に沿って挿脱自在に配置されている。
【０００９】
また、ハウジング１には、当該ハウジング１に冷却水（冷却流体）を供給する冷却水供給口１３と、この冷却水を排出する冷却水排出口１４とが形成されている。つまり、冷却水供給口１３と冷却水排出口１４とで後述する冷却通路４（図２参照）に連通する流出入口を構成している。
【００１０】
このレーザ発振ユニット２は、図２に示すように、その本体２１の外形が前記ハウジング１の断面形状と同様な矩形状に形成されており、前記ガイドレール３を介してハウジング１の内周面と所定の間隔を隔てて配置されている。
【００１１】
ガイドレール３は、ハウジング１の内面に且つ両端開口にかけて上下にそれぞれ２本ずつ計４本がそれぞれ平行に配設されており、ハウジング１の内面から内方に所定高さ突出した状態で敷設されている。
【００１２】
前記本体２１の前記各ガイドレール３と対応する外周面には、当該各ガイドレール３が摺動可能な溝２２がそれぞれ形成されており、これらガイドレール３と溝２２とによりレーザ発振ユニット２がハウジング１内に適宜間隔を隔てた状態で挿脱自在に配置されるように構成されている。
【００１３】
そして、前記本体２１内には固体レーザ媒質２３及びフラッシュランプ２４等が配置されている。
【００１４】
前記固体レーザ媒質２３は、前記本体２１内のぼぼ中心位置に配置されている。この固体レーザ媒質２３としては、ＹＡＧ、ガラス、ルビー等が使用されている。
【００１５】
前記フラッシュランプ２４は、前記固体レーザ媒質２３を光励起するためのもので、当該固体レーザ媒質２３を挟んで対象位置に平行に配置されている。
【００１６】
これら固体レーザ媒質２３及びフラッシュランプ２４の外周は散乱反射板２５で包囲されおり、この散乱反射板２５が前記本体２１内にボルト２６などの適宜な固設部材によって固設されている。
【００１７】
また、固体レーザ媒質２３とフラッシュランプ２４との間には、透明な仕切板２７が配設されている。
【００１８】
各仕切板２７は、前記散乱反射板２５に保持されており、この仕切板２７により固体レーザ媒質２３とフラッシュランプ２４とを水密状に仕切っている。
【００１９】
そして、前記本体２１と散乱反射板２５とには前記ハウジング１内に供給される冷却水を固体レーザ媒質２３に導く導入路４１と、この冷却水をハウジング１内に排出する排出路４２とが形成されており、仕切板２７で仕切られた固体レーザ媒質２３の周囲の空間部４３と上記導入路４１及び排出路４２とで冷却通路４を形成している。
【００２０】
つまり、前記冷却水供給口１３からハウジング１内に供給された冷却水は、冷却通路４を通じて固体レーザ媒質２３の周囲に導かれ当該固体レーザ媒質２３を冷却した後に、ハウジング１の冷却水排出口１４から排出される。
【００２１】
また、前記ガイドレール３は、前記冷却通路４及び流出入口を構成する冷却水供給口１３と冷却水排出口１４の両側に配置されており、上述のようにハウジング１内に導入される冷却水を当該ガイドレール３間で封じ込めガイドレール３の外側のハウジング１内に浸入するのを防止する仕切壁の役目も果たしている。
【００２２】
このように構成されたレーザ発振ユニット２は、前述のようにしてハウジング１内に配置された状態でハウジング１の両端の開口１１、１２を図１に示すように蓋体５１、５２によって閉塞することで、当該ハウジング１内に安定的に配置される。
【００２３】
これら蓋体５１、５２は、ボルト５３などの適宜な固着部材により着脱自在に構成されており、その中心部には開口５４が形成されている。
そして、上記各開口５４と対峙して出力鏡６と全反射鏡７が配設されている。このようにして構成された固体レーザ発振装置は、フラッシュランプ２４からの励起光が固体レーザ媒質２３に照射されることで、全反射鏡７の反射作用により出力鏡６側からレーザ光が出力される。
【００２４】
そして、固体レーザ発振装置の組立時には、固体レーザ媒質２３及びフラッシュランプ２４等を組み込んだレーザ発振ユニット２をガイドレール３に沿ってスライドさせることで、当該レーザ発振ユニット２を簡単にハウジング１内に配置することができるとともに、ガイドレール３により位置決めされた状態で配置されるため、配置した際の再現性が良好で、煩わしい光軸調整を行う負担を軽減することができる。即ち、高い精度でガイドレール３を介してレーザ発振ユニット２をハウジング１に配置することができる場合では、光軸調整を殆ど必要としないし、仮に必要な場合であってもレーザ発振ユニット２によって基本的な調整がなされているため微調整で済む。
【００２５】
また、ガイドレール３間で冷却水を導くため、この冷却水に方向性を持たせることができ、ハウジング１とレーザ発振ユニット２との間全体に冷却水を導くのに比べて冷却効率が良い。
【００２６】
【発明の効果】
以上述べたように、本発明によれば、レーザ発振ユニットをガイド部材に沿って案内させることで、当該レーザ発振ユニットを簡単にハウジング内に配置することができるとともに、ガイド部材により位置決めされた状態で配置されるため、配置した際の再現性が良好で、煩わしい光軸調整を行う負担を軽減することができる。
【００２７】
また、ガイド部材を冷却通路及び流出入口の両側に配置して、当該ガイド部材を冷却流体の仕切壁として兼用し、これらガイド部材間で冷却流体を導くことで、構造を複雑化することなく、冷却流体に方向性を持たせるこができ、冷却効率を高めることができる。
【図面の簡単な説明】
【図１】本発明の固体レーザ発振装置の構成を示す断面図である。
【図２】図１のＡ−Ａ断面図である。
【符号の説明】
１  ハウジング
１３  冷却水供給口
１４  冷却水排出口
２  レーザ発振ユニット
２３  固体レーザ媒質
２４  フラッシュランプ
２５  散乱反射板（反射板）
３  ガイドレール（ガイド部材）
４  冷却通路
【図１】
0003557333.tif 000002
【図２】
0003557333.tif 000003